(57)【要約】【課題】  内框に配置された内部錠ケースと外框に配置された外部錠ケースとを有し、内部錠ケースに支持された施錠部材が外部錠ケースに設けた操作機構によってストライク部に係脱し、操作機構はシリンダ錠の一方への回動によって施錠部材を施錠する第１操作片と、他方への回動によって施錠部材を解錠する第２操作片と、シリンダ錠の中立位置にて第１と第２操作片を退避させる復帰機構とを有する引違戸錠の組立て性を改善する。【解決手段】  外部錠ケース１１内に往復移動可能に支持された操作スライダ２０の往路操作に基づいて第１操作片３０ａが操作され、操作スライダの復路操作に基づいて第２操作片３０ｂが操作され、復帰機構は、操作スライダを往路と復路との中間位置に付勢するべく操作スライダ内に配置された圧縮コイルバネ２６と、圧縮コイルバネの一部を外部錠ケースに対して固定する固定機構１１ａ，１１ｂとを有する構成にした。【選択図】        図４
2005155079.tif 000002
【特許請求の範囲】
【請求項１】
内框に配置された内部錠ケースと外框に配置された外部錠ケースとを有し、前記内部錠ケースに支持された施錠部材が、前記外部錠ケースに設けられた操作機構によって外框のストライク部に係脱し、前記操作機構は、前記外框に設けられたシリンダ錠の一方への回動に基づいて前記施錠部材を施錠する第１操作片と、前記シリンダ錠の他方への回動に基づいて前記施錠部材を解錠する第２操作片と、前記シリンダ錠の中立位置への操作に応じて前記第１操作片および前記第２操作片を前記外部錠ケース内に退避させる復帰機構とを有する引違戸錠であって、
前記操作機構が、前記外部錠ケース内に往復移動可能に支持された操作スライダを備え、前記操作スライダの往路操作に基づいて前記第１操作片が操作され、前記操作スライダの復路操作に基づいて前記第２操作片が操作され、
前記復帰機構は、前記操作スライダを前記往路と前記復路との中間位置に付勢するべく前記操作スライダ内に配置された圧縮コイルバネと、前記圧縮コイルバネの一部を前記外部錠ケースに対して固定する固定機構とを有する引違戸錠。
【請求項２】
前記操作スライダは互いに対向した一対の側板を備え、前記一対の側板の間に２つのバネ受けが移動自在に収納されており、前記圧縮コイルバネが前記２つのバネ受けの間に前記バネ受けどうしを離間付勢するように介装されており、前記固定機構は、前記各バネ受けの前記外部錠ケースに対する移動を所定の範囲内に制限するために前記外部錠ケースに設けられたストッパからなる請求項１に記載の引違戸錠。
【請求項３】
前記バネ受けは、前記操作スライダの前記一対の側板の間に収容されるバネ受け本体と、前記バネ受け本体から左右に延びて更に前記側板外に突出した一対の突起部とを含み、前記ストッパは、前記突起部を受け入れるべく前記外部錠ケースに設けられた案内溝の両端部からなる請求項２に記載の引違戸錠。
【発明の詳細な説明】
【技術分野】
【０００１】
本発明は、内框に配置された内部錠ケースと外框に配置された外部錠ケースとを有し、前記内部錠ケースに支持された施錠部材が、前記外部錠ケースに設けられた操作機構によって外框のストライク部に係脱し、前記操作機構は、前記外框に設けられたシリンダ錠の一方への回動に基づいて前記施錠部材を施錠する第１操作片と、前記シリンダ錠の他方への回動に基づいて前記施錠部材を解錠する第２操作片と、前記シリンダ錠の中立位置への操作に応じて前記第１操作片および前記第２操作片を前記外部錠ケース内に退避させる復帰機構とを有する引違戸錠に関する。
【背景技術】
【０００２】
この種の引違戸錠としては、本発明に関連する先行技術文献情報として下記に示す特許文献１がある。
この特許文献１に記された引違戸錠では、操作片（アーム）のピニオン状の被操作部が作動板のラックに噛合わされていない時に各操作片（アーム）の先端がストライク部から突出しないようにするための戻しばねが設けられているので、通常の非作動時には操作片（アーム）がストライク部に係入することがなく、内框と外框との引違いが円滑に行える。
【０００３】
【特許文献１】特開平９−１４４４０６号公報（段落番号００２６〜００２７、図１）
【発明の開示】
【発明が解決しようとする課題】
【０００４】
しかし、特許文献１の引違戸錠では、第１操作片および第２操作片を外部錠ケース内に退避させる復帰機構として設けられた戻しばねがコイル状のねじりばねで構成されているために、１つのコイル状のねじりばねを取り付ける時の組立て作業、すなわち実際的には、ねじりばねの中央のループ部を水平軸に外嵌させたままで、ねじりばねの両端のそれぞれを、ねじりばねの付勢力に抗って第１操作片（アーム）と第２操作片（アーム）の基端部に設けたバネ掛けに引っ掛ける作業が、高度の熟練を要する煩雑な作業内容であるため、組立て効率が低かった。
【０００５】
したがって、本発明の目的は、上に例示した従来技術による引違戸錠の持つ前述した欠点に鑑み、特に復帰機構を構成する部位の組立てが容易で組立て効率も高い引違戸錠を、できるだけ部品点数を増やすことなく提供することにある。
【課題を解決するための手段】
【０００６】
本発明の特徴構成は、内框に配置された内部錠ケースと外框に配置された外部錠ケースとを有し、前記内部錠ケースに支持された施錠部材が、前記外部錠ケースに設けられた操作機構によって外框のストライク部に係脱するように構成され、前記操作機構は、シリンダ錠と、前記シリンダ錠の一方への回動に基づいて前記施錠部材を施錠する第１操作片と、前記シリンダ錠の他方への回動に基づいて前記施錠部材を解錠する第２操作片と、前記シリンダ錠の中立位置への操作に応じて前記第１操作片および前記第２操作片を前記外部錠ケース内に退避させる復帰機構とを有する引違戸錠であって、
前記操作機構が、前記外部錠ケース内に往復移動可能に支持された操作スライダを備え、前記操作スライダの往路操作に基づいて前記第１操作片が操作され、前記操作スライダの復路操作に基づいて前記第２操作片が操作され、
前記復帰機構は、前記操作スライダを前記往路と前記復路との中間位置に付勢するべく前記操作スライダ内に配置された圧縮コイルバネと、前記圧縮コイルバネの一部を前記外部錠ケースに対して固定する固定機構とを有することにある。
【０００７】
このような特徴構成を有するので、本発明による引違戸錠では、前記復帰機構が第１操作片と第２操作片とに直接取り付けられるバネからなるのではなく、操作スライダ内に配置された圧縮コイルバネからなる、そこで、組立て時には、先ず圧縮コイルバネを操作スライダの内部に組み込むことで、復帰機構としての役目を果たす言わばサブアセンブリを作製し、次の工程として、このサブアセンブリ（実質的には圧縮コイルバネを内部に組み込んだ操作スライダである）を外部錠ケースに取り付ければ、復帰機構を構成する部位の組立てが完了する。ここで、圧縮コイルバネを操作スライダの内部に組み込むというサブアセンブリ作製の作業内容は熟練度を要しない簡単なものであり、その次の、サブアセンブリを外部錠ケースに取り付ける作業もまた熟練度を要しない簡単なものである。従って、従来技術で必要とされた、ねじりばねの中央のループ部を軸に外嵌させたままで、ねじりばねの両端のそれぞれを、ねじりばねの付勢力に抗って第１操作片と第２操作片の一部に引っ掛ける等の熟練を要する煩雑な作業が不要となり、特に復帰機構を構成する部位の組立てが容易で組立て効率も高い引違戸錠が得られた。また、本発明では、復帰機構の主体をなす圧縮コイルバネを第１操作片および第２操作片を操作するために元々必要な操作スライダ内に配置するという手法を取っているので、従来技術に比較しても部品点数が増えず、比較的高い組立て効率が維持される。
【０００８】
特に、前記操作スライダは互いに対向した一対の側板を備え、前記一対の側板の間に２つのバネ受けが移動自在に収納されており、前記圧縮コイルバネが前記２つのバネ受けの間に前記バネ受けどうしを離間付勢するように介装されており、前記固定機構は、前記各バネ受けの前記外部錠ケースに対する移動を所定の範囲内に制限するために前記外部錠ケースに設けられたストッパからなる構成とすることができる。
このような構成にすれば、復帰機構を構成するサブアセンブリの組立ては、既に操作スライダの一対の側板の間に収納されている２つのバネ受けの間に圧縮コイルバネを押し込むだけで完了するので、非常に簡単で熟練を要さずに且つ確実に組立て作業が行える。因みに、このようなサブアセンブリを取り付けた引違戸錠を使用する場合、例えば、シリンダ錠の一方への回動に基づいて第１操作片が施錠部材を施錠する時には、一方のバネ受けはストッパに固定された状態で他方のバネ受けが圧縮コイルバネを押し縮めながら２つのバネ受けどうしが近接する形で、操作スライダの移動と第１操作片による施錠動作が行われて、シリンダ錠の中立位置に戻せば、圧縮コイルバネの伸張しようとする付勢力に基づいて、操作スライダが中間位置に復帰されて、第１操作片が退避する。
【０００９】
より具体的には、前記バネ受けは、前記操作スライダの前記一対の側板の間に収容されるバネ受け本体と、前記バネ受け本体から左右に延びて更に前記側板外に突出した一対の突起部とを含み、前記ストッパは、前記突起部を受け入れるべく前記外部錠ケースに設けられた案内溝の両端部からなる構成とすることができる。
このような構成にすれば、圧縮コイルバネの両端部を押し縮め操作可能なバネ受けの突起部が外に突出した操作スライダが得られるので、この突起部が外部錠ケースの案内溝内に係入するように操作スライダを外部錠ケースに取り付けるだけで、外部錠ケースに設けられた案内溝の両端部が圧縮コイルバネの各端部の移動を制限するストッパとして作用し、復帰機構が完成するという合理的な構成が得られた。
【００１０】
本発明によるその他の特徴および利点は、以下図面を用いた実施形態の説明により明らかになるであろう。
【発明を実施するための最良の形態】
【００１１】
本発明による引違戸錠について図面を参照しながら以下に解説する。
図１に示す引違戸錠１００は、外框１（室外側引戸Ａの框）に配置された外部ユニット１０と内框２（室内側引戸Ｂの框）に配置された内部ユニット４０とからなる。
【００１２】
（外部ユニット１０の構成）
図１から図３に示すように、外部ユニット１０は、外框１の空洞内に収納される外部錠ケース１１、及び、外框１を間に挟み込む形で外部錠ケース１１を固定する外部化粧座１２と外部プレート１３を備える。外部化粧座１２の内部にはキーＫによって操作されるシリンダ錠１４が設けられており、外部化粧座１２の裏面からは、キーＫによる操作に応じて時計回り或いは反時計回りに回動するテール１４ａが延出している。尚、外部錠ケース１１は筐体状の外部錠ケース本体１１ｐと、板状の外部錠ケース蓋体１１ｑとからなる。
【００１３】
外部錠ケース１１は、テール１４ａの回動に応じて回転操作されるピニオン１５、ピニオン１５と噛合しピニオン１５の回動に応じて上下に移動操作されるラック板１６、ラック板１６と一体的に上下移動するようにラック板１６の上端に係止された操作スライダ２０（操作機構の一例）、外部錠ケース本体１１ｐの内面から横向きに立設されたアームピン１１ｓに揺動自在に支持された施錠アーム３０ａ（第１操作片の一例）と解錠アーム３０ｂ（第２操作片の一例）を備えている。図４から図６に示すように、施錠アーム３０ａと解錠アーム３０ｂは、揺動軸芯から一方に延びたフック状の操作部３１ａ，３１ｂを有し、揺動軸芯から他方に離間した位置には被操作ピン３２ａ，３２ｂが立設されている。外部錠ケース１１には、キーＫによるシリンダ錠１４の中立位置への復帰に応じて、施錠アーム３０ａと解錠アーム３０ｂを外部錠ケース１１内に退避した状態に戻す復帰機構が設けられている。
【００１４】
図５に示すように、操作スライダ２０は、金属板を打ち抜き加工並びに折り曲げ加工して得られた部材であり、互いに対向するように平行に延びた一対の側板２１，２２と、一対の側板２１，２２どうしを一体的に連結する連結部２３とを備える。一方の側板２１には被操作ピン３２ａを介して施錠アーム３０ａを揺動操作する第１操作凹部２１ａが形成されており、他方の側板２２には被操作ピン３２ｂを介して解錠アーム３０ｂを揺動操作する第２操作凹部２２ａが形成されている。また各側板２１，２２には上下方向に直線状に延びた長孔２１ｂ，２２ｂが形成されている。
一対の側板２１，２２の間には２つのバネ受け２４，２５（復帰機構の一例）が上下方向に移動自在に収納されており、これら２つのバネ受け２４，２５の間には一個の圧縮コイルバネ２６（復帰機構の一例）がバネ受け２４，２５どうしを上下に離間付勢するように介装されている。尚、各バネ受け２４，２５は、一対の側板２１，２２の間に収容されるバネ受け本体２４ａ，２５ａと、バネ受け本体２４ａ，２５ａから左右に延びた一対の突起部２４ｂ，２５ｂとを含む。一対の突起部２４ｂ，２５ｂは、一対の側板２１，２２の間の空間から長孔２１ｂ，２２ｂを通過して更に側板２１，２２外に突出し、突起部２４ｂ，２５ｂの先端は、外部錠ケース１１に形成されたスリット状の長孔１１ａ，１１ｂ（案内溝の一例、図２と図３を参照のこと）内に係入されている。これらの長孔１１ａ，１１ｂの両端すなわち上下の端部は、各バネ受け２４，２５の外部錠ケース１１に対する移動を所定の範囲内に制限するためのストッパ（復帰機構および固定機構の一例）の役目を果たしている。これらの長孔１１ａ，１１ｂの両端は結果的に圧縮コイルバネ２６の各端部を外部錠ケース１１に対して固定していることになる。また、バネ受け本体２４ａ，２５ａには圧縮コイルバネ２６の各端部を受け入れるための凹部が設けられている。
そこで、シリンダ錠１４が操作されず外力が不在の通常の状況下では、操作スライダ２０は、各バネ受け２４，２５の突起部２３ｂ，２４ｂを外部錠ケース１１の長孔１１ａ，１１ｂの両端に押付ける圧縮コイルバネ２６の付勢力に基づいて、上下方向に関する中間位置に保持される（図４、図１０及び図１２の状態）。
【００１５】
この操作スライダ２０が前記中間位置に位置する状態から、室外にいる者がキーＫをシリンダ錠１４に挿入して反時計回りに操作すると、ラック板１６と操作スライダ２０とは、圧縮コイルバネ２６の付勢力に抗して上向きに移動操作され、最終的に図７（ａ）及び図１１が示す状態に到達する。すなわち、この時、上方のバネ受け２３は長孔１１ａ，１１ｂの上端によって固定されたままで、下方のバネ受け２４のみが操作スライダ２０の長孔２１ｂ，２２ｂの下端部によって上方に押し上げられるため、圧縮コイルバネ２６は強制的に押し縮められる。そして、この操作スライダ２０の上方への移動（往路操作の一例）に基づいて、施錠アーム３０ａが操作スライダ２０の第１操作凹部２１ａによって揺動操作され、施錠アーム３０ａの操作部３１ａが、外部プレート１３の開口部から突出し、後述する内框２側の内部ユニット４０のリフタ４６を下方に移動操作し、施錠が実行される。この状態から、キーＫを時計回りにシリンダ錠１４内の中立位置まで戻し操作すると、ラック板１６と操作スライダ２０とは、圧縮コイルバネ２６の付勢力に助けられながら下向きに移動操作され、最終的には、図１２に示すように、操作スライダ２０は圧縮コイルバネ２６の付勢力によって前記中間位置に保持される。この状態ではキーＫはシリンダ錠１４内の中立位置にあり、抜き取りが可能になる。
【００１６】
逆に、この操作スライダ２０が前記中間位置に位置する状態から、キーＫをシリンダ錠１４に挿入して時計回りに操作すると、ラック板１６と操作スライダ２０とは、圧縮コイルバネ２６の付勢力に抗して下向きに移動操作され、最終的に図７（ｂ）及び図１３が示す状態に到達する。すなわち、この時、下方のバネ受け２２は長孔１１ａ，１１ｂの下端によって固定されたままで、上方のバネ受け２３のみが操作スライダ２０の長孔２１ｂ，２２ｂの上端部によって押し下げられるため、圧縮コイルバネ２６は強制的に押し縮められる。そして、この操作スライダ２０の下方への移動（復路操作の一例）に基づいて、解錠アーム３０ｂが操作スライダ２０の第２操作凹部２２ａによって揺動操作され、解錠アーム３０ｂの操作部３１ｂが、外部プレート１３の開口部から突出し、内部ユニット４０のリフタ４６を上方に移動操作し、解錠が実行される。この状態から、キーＫを反時計回りにシリンダ錠１４内の中立位置まで戻し操作すると、ラック板１６と操作スライダ２０とは、圧縮コイルバネ２６の付勢力に助けられながら上向きに移動操作され、最終的には、図４及び図１２に示すように、操作スライダ２０は圧縮コイルバネ２６の付勢力によって前記中間位置に保持される。この状態ではキーＫはシリンダ錠１４内の中立位置にあり、抜き取りが可能になる。
【００１７】
（内部ユニット４０の構成）
図２及び図８に示すように、内部ユニット４０は、内框２の空洞内に収納される内部錠ケース４１、及び、内框２を間に挟み込む形で内部錠ケース４１を固定する内部化粧座４２と内部プレート４３を備える。内部錠ケース４１は、上下方向に移動可能に支持された摺動子４４、摺動子４４の移動に応じてほぼ水平な軸芯Ｘ１周りで揺動して外框１のストライク部３３に係脱する鎌４７（施錠部材の一例）、及び、やはり摺動子４４の移動に応じて横向きに変位するプロテクタ５０を備える。尚、内部錠ケース４１は筐体状の内部錠ケース本体４１ｐと、板状の内部錠ケース蓋体４１ｑとからなる。
摺動子４４の一方の面にはスライド摘み４５が、他方の面にはリフタ４６が固着されている。スライド摘み４５は内部化粧座４２に設けられた開口部４２ａから突出しており、室内側に居る者はスライド摘み４５を操作することで摺動子４４を上下に操作できる。また、外部ユニット１０の施錠アーム３０ａまたは解錠アーム３０ｂは、リフタ４６を押し下げ、或いは、押し上げることで摺動子４４を上下に操作できる。
【００１８】
鎌４７は、鎌４７の軸芯Ｘ１に向かって延びた長孔４７ｂを備えており、内部錠ケース４１にも概して上下方向に延びた長孔４１ａが形成されている。鎌４７の長孔４７ｂと内部錠ケース４１の長孔４１ａには、共通の被操作ピン４８が挿通されている。そして、摺動子４４には被操作ピン４８と接当する操作部４４ａが設けられている。また、鎌４７には被操作ピン４８を長孔４７ｂの端部に押付ける捻りコイルばね４９が設けられている。摺動子４４が上死点に位置する時には、鎌４７は捻りコイルばね４９の付勢力によって図２、図９（ａ）及び図１０に示す解錠姿勢に保持されている。摺動子４４が下死点に向けて移動操作されると、摺動子４４の操作部４４ａが被操作ピン４８を内部錠ケース４１の長孔４１ａに沿って押し下げる結果、鎌４７は軸芯Ｘ１周りで揺動し、図９（ｂ）及び図１１に示す施錠姿勢に切り換えられ、引き続き捻りコイルばね４９の付勢力によって施錠姿勢に保持される。施錠姿勢では、鎌４７のフック部４７ａが内部プレート４３の第１開口部４３ａを通過して外框１のストライク部３３に係合する。
【００１９】
プロテクタ５０は、内部プレート４３の第２開口部４３ｂ内に前後方向に移動自在に受け入れられている。また、プロテクタ５０の一方の側面の上下２箇所には第１被操作ピン５０ａ，５０ｂが設けられており、プロテクタ５０の他方の側面には第２被操作ピン５０ｃが設けられている。また、摺動子４４には、プロテクタ５０の第１被操作ピン５０ａ，５０ｂと接当する傾斜カム面４４ｂ，４４ｃと、プロテクタ５０の第２被操作ピン５０ｃを受け入れる傾斜した長孔４４ｄとが形成されている。摺動子４４が上死点に位置する時には、プロテクタ５０は図９（ａ）及び図１０に示す退避姿勢に保持されている。摺動子４４が下死点に向けて移動操作されると、摺動子４４の傾斜カム面４４ｂ，４４ｃがプロテクタ５０の第１被操作ピン５０ａ，５０ｂを外框１向きに押出す結果、プロテクタ５０は、図９（ｂ）及び図１１に示す突出姿勢に切り換えられ、室外側引戸Ａと室内側引戸Ｂの間の間隙からリフタ４６を押し上げ操作しようと試みる進入者から防御する。この状態から、再び摺動子４４が上死点に向けて移動操作されると、摺動子４４の長孔４４ｄの外框１側の縁部がプロテクタ５０の第２被操作ピン５０ｃを内部化粧座４２向きに押し戻す結果、プロテクタ５０は再び図９（ａ）及び図１０に示す退避姿勢に復帰操作される。
【００２０】
（施錠と解錠の操作について）
図２及び図１０は、室外側引戸Ａと室内側引戸Ｂを閉じ合わせた、すなわち外框１と内框２とが互いに対向した状態を示す。この状態では、外部ユニット１０の施錠アーム３０ａと解錠アーム３０ｂ、及び、内部ユニット４０の鎌４７とプロテクタ５０は、いずれも退避姿勢にある。この状態から、室外に居る者がキーＫをシリンダ錠１４に挿入して反時計回りに操作すると、ラック板１６と操作スライダ２０とが、圧縮コイルバネ２６の付勢力に抗して上向きに移動操作され、施錠アーム３０ａが操作スライダ２０の第１操作凹部２１ａによって揺動操作され、施錠アーム３０ａの操作部３１ａが、外部プレート１３の開口部から突出して、内部ユニット４０のリフタ４６と摺動子４４を下方に移動操作するので、図１１に示すように、鎌４７が揺動操作されてストライク部３３に係合することで施錠が実行される。同時にプロテクタ５０も突出姿勢に切り換えられる。この状態から、キーＫを時計回りにシリンダ錠１４内の中立位置まで戻し操作すると、図１２に示すように、ラック板１６と操作スライダ２０とは、圧縮コイルバネ２６の付勢力に助けられながら下向きに移動操作され、施錠アーム３０ａは操作スライダ２０によって退避姿勢に戻され、最終的に操作スライダ２０は圧縮コイルバネ２６の付勢力によって前記中間位置に保持される。この状態では、キーＫはシリンダ錠１４内の中立位置にあり、キーＫの抜き取りが可能になる。鎌４７は施錠状態であり、プロテクタ５０も突出姿勢を維持している。
尚、室内に居る者がスライド摘み４５を下方に移動操作した場合も、同様にラック板１６と操作スライダ２０とが移動操作されるが、この場合は、施錠アーム３０ａの操作を介することなく最終的に鎌４７が揺動操作されて施錠が実行される。
【００２１】
逆に、図１２に示す鎌４７による施錠がなされている状態から、室外に居る者がキーＫをシリンダ錠１４に挿入して時計回りに操作すると、ラック板１６と操作スライダ２０とは、圧縮コイルバネ２６の付勢力に抗して下向きに移動操作され、解錠アーム３０ｂが操作スライダ２０の第２操作凹部２２ａによって揺動操作され、解錠アーム３０ｂの操作部３１ｂが、外部プレート１３の開口部から突出し、内部ユニット４０のリフタ４６と摺動子４４を上方に移動操作するので、図１３に示すように、鎌４７が逆向きに揺動操作されてストライク部３３から係合解除されることで解錠が実行され、同時に、プロテクタ５０も退避姿勢に戻される。この状態から、キーＫを反時計回りにシリンダ錠１４内の中立位置まで戻し操作すると、図１０に示すように、ラック板１６と操作スライダ２０とは、圧縮コイルバネ２６の付勢力に助けられながら上向きに移動操作され、解錠アーム３０ｂは操作スライダ２０によって退避姿勢に戻され、最終的に操作スライダ２０は圧縮コイルバネ２６の付勢力によって前記中間位置に保持される。この状態ではキーＫはシリンダ錠１４内の中立位置にあり、抜き取りが可能になる。
尚、室内に居る者がスライド摘み４５を上方に移動操作した場合も、同様にラック板１６と操作スライダ２０とが移動操作されるが、この場合は、解錠アーム３０ｂの操作を介することなく最終的に鎌４７が揺動操作されて解錠が実行される。
【００２２】
（外部ユニット１０の組立て工程について）
当該引違戸錠１００では、特に外部ユニット１０の復帰機構の組立て性が改善されている。外部ユニット１０の組立て時には、図５に示すように、先ず、操作スライダ２０の中に２個のバネ受け２４，２５を、バネ受け２４，２５の突起部２４ｂ，２５ｂが長孔２１ｂ，２２ｂから突出するように嵌め込み、次に、圧縮コイルバネ２６をバネ受け２４，２５どうしを上下に離間付勢するように介装すれば、上下のバネ受け２４，２５の各突起部２４ｂ，２５ｂが、圧縮コイルバネ２６によって長孔２１ｂ，２２ｂの両端に押付けられた状態となり、復帰機構としての役目を果たすサブアセンブリが完成する（図６を参照）。その後は、図６に示すように、操作スライダ２０の側板２１，２２の間に、施錠アーム３０ａと解錠アーム３０ｂを退避姿勢となるように収納し、次に、図３及び図１０に示すように、そのまま操作スライダ２０を、既にスライダーガイド２７とピニオン１５とが取り付けられた外部錠ケース本体１１ｐに対して、外部錠ケース本体１１ｐに立設されたアームピン１１ｓが施錠アーム３０ａと解錠アーム３０ｂの貫通孔３０ｈに挿通されるように、且つ、操作スライダ２０の側板２１外に突出している突起部２４ｂが外部錠ケース本体１１ｐの長孔１１ａ内に係入されるように嵌め込み、次に、ラック板１６のラック部をピニオン１５と噛合させ、ラック板１６の上端を操作スライダ２０の係入孔に係止し、最後に、外部錠ケース蓋体１１ｑを、側板２２外に突出している突起部２５ｂが外部錠ケース蓋体１１ｑの長孔１１ｂ内に係入されるように合わせて、外部錠ケース本体１１ｐに対して固定すれば外部ユニット１０の組立てが完了する。
【図面の簡単な説明】
【００２３】
【図１】本発明による引違戸錠１００を室外側引戸Ａ及び室内側引戸Ｂと共に示す斜視図
【図２】解錠状態における引違戸錠１００を示す破断側面図
【図３】外部ユニット１０の分解斜視図
【図４】外部ユニット１０の破断側面図
【図５】外部ユニット１０の復帰機構の組立て工程の一部を示す斜視図
【図６】外部ユニット１０の復帰機構の組立て工程の別の一部を示す斜視図
【図７】操作スライダ２０による施錠アーム３０ａ及び解錠アーム３０ｂの操作を復帰機構の作用と共に示す斜視図
【図８】内部ユニット４０の分解斜視図
【図９】摺動子４４による鎌４７及びプロテクタ５０の操作を示す斜視図
【図１０】解錠状態における引違戸錠１００の一つの状態を示す破断側面図
【図１１】施錠状態における引違戸錠１００の一つの状態を示す破断側面図
【図１２】施錠状態における引違戸錠１００の別の状態を示す破断側面図
【図１３】解錠状態における引違戸錠１００の別の状態を示す破断側面図
【符号の説明】
【００２４】
Ａ  室外側引戸
Ｂ  室内側引戸
Ｋ  キー
１００  引違戸錠
１  外框
２  内框
１０  外部ユニット
１１  外部錠ケース
１１ａ，１１ｂ  長孔（案内溝、ストッパ、固定機構）
１２  外部化粧座
１３  外部プレート
１４  シリンダ錠
１５  ピニオン
１６  ラック板
２０  操作スライダ（操作機構）
２１，２２  側板
２１ａ  第１操作凹部
２２ａ  第２操作凹部
２１ｂ，２２ｂ  長孔
２３  連結部
２４，２５  バネ受け（復帰機構）
２４ａ，２５ａ  バネ受け本体
２４ｂ，２５ｂ  突起部
２６  圧縮コイルバネ（復帰機構）
２７  スライダーガイド
３０ａ  施錠アーム（第１操作片）
３０ｂ  解錠アーム（第２操作片）
３１ａ，３１ｂ  操作部
３２ａ，３２ｂ  被操作ピン
３３  ストライク部
４０  内部ユニット
４１  内部錠ケース
４２  内部化粧座
４３  内部プレート
４３ａ  第１開口部
４３ｂ  第２開口部
４４  摺動子
４４ａ  操作部
４４ｂ，４４ｃ  傾斜カム面
４５  スライド摘み
４６  リフタ
４７  鎌
４８  被操作ピン
４９  捻りコイルばね
５０  プロテクタ
【図１】
2005155079.tif 000003
【図２】
2005155079.tif 000004
【図３】
2005155079.tif 000005
【図４】
2005155079.tif 000006
【図５】
2005155079.tif 000007
【図６】
2005155079.tif 000008
【図７】
2005155079.tif 000009
【図８】
2005155079.tif 000010
【図９】
2005155079.tif 000011
【図１０】
2005155079.tif 000012
【図１１】
2005155079.tif 000013
【図１２】
2005155079.tif 000014
【図１３】
2005155079.tif 000015